(57)【要約】【課題】昇降路外部の空気をかご内に取り込むことにより、かご内の温度を低下させることができるエレベータのかご内換気装置を得る。【解決手段】昇降路１を昇降するかご２の内部を換気するエレベータのかご内換気装置であって、それぞれ一端がかご２内に連通するとともに、他端が昇降路１外部に連通する吸気用蛇腹式管３および排気用蛇腹式管４と、吸気用蛇腹式管３および排気用蛇腹式管４のそれぞれにおいて、昇降路１外部との境界部分に設けられた吸気用弁５および排気用弁６とを備えたものである。【選択図】図１
2013237545.tif 000002
【特許請求の範囲】
【請求項１】
昇降路を昇降するかごの内部を換気するエレベータのかご内換気装置であって、
それぞれ一端が前記かご内に連通するとともに、他端が前記昇降路外部に連通する２本の蛇腹式管と、
前記２本の蛇腹式管のそれぞれにおいて、前記昇降路外部との境界部分に設けられた弁と、
を備えたことを特徴とするエレベータのかご内換気装置。
【請求項２】
前記２本の蛇腹式管は、それぞれ前記かごの天井に取り付けられた吸気用蛇腹式管および排気用蛇腹式管であり、
前記吸気用蛇腹式管に設けられた弁は、前記かごの下降時に開状態となるとともに、前記かごの上昇時に閉状態となる吸気用弁であり、
前記排気用蛇腹式管に設けられた弁は、前記かごの上昇時に開状態となるとともに、前記かごの下降時に閉状態となる排気用弁である
ことを特徴とする請求項１に記載のエレベータのかご内換気装置。
【請求項３】
前記吸気用蛇腹式管は、前記昇降路外部に設けられた空調機、または前記昇降路外部の空調機が設置された空間に連通することを特徴とする請求項２に記載のエレベータのかご内換気装置。
【請求項４】
前記弁のそれぞれの近傍、および前記かご内に設けられて周囲の温度を検出する温度検出部と、
前記温度検出部で検出された温度に基づいて、前記弁の開閉を制御する開閉制御部と、
をさらに備えたことを特徴とする請求項１に記載のエレベータのかご内換気装置。
【請求項５】
前記弁のそれぞれの近傍に設けられて周囲の空気の汚れを検出する空気汚れ検出部と、
前記空気汚れ検出部で検出された空気の汚れに基づいて、前記弁の開閉を制御する開閉制御部と、
をさらに備えたことを特徴とする請求項１に記載のエレベータのかご内換気装置。
【請求項６】
前記弁のそれぞれの近傍、および前記かご内に設けられて周囲の温度を検出する温度検出部と、
前記弁のそれぞれの近傍に設けられて周囲の空気の汚れを検出する空気汚れ検出部と、
前記温度検出部で検出された温度および前記空気汚れ検出部で検出された空気の汚れの少なくとも一方に基づいて、前記弁の開閉を制御する開閉制御部と、
をさらに備えたことを特徴とする請求項１に記載のエレベータのかご内換気装置。
【請求項７】
前記かごは、断熱材で覆われていることを特徴とする請求項１から請求項６までの何れか１項に記載のエレベータのかご内換気装置。
【発明の詳細な説明】
【技術分野】
【０００１】
この発明は、昇降路を昇降するかごの内部を換気するエレベータのかご内換気装置に関する。
【背景技術】
【０００２】
従来から、かごの天井に設けられたファンを用いて昇降路内の空気をかご内に取り込むとともに、かごの側面に設けられたファンを用いて、かご内と昇降路外部とを連通するダクトを介して、かご内の空気を昇降路外部に排出するエレベータのかご内強制換気装置が知られている（例えば、特許文献１参照）。
【先行技術文献】
【特許文献】
【０００３】
【特許文献１】特開２００６−２６９８５６号公報
【発明の概要】
【発明が解決しようとする課題】
【０００４】
しかしながら、従来技術には、以下のような課題がある。
近年では、バリアフリー対策の一環として、既存ビルに後付けする小型のエレベータの需要が高まっている。この場合、建築上の制限により、建物内に昇降路を設置することが困難であり、昇降路が建物の外部に設置されるケースが多い。
【０００５】
そのため、夏場には、建物の外部に設置された昇降路が日差し等の影響を直接受け、昇降路内の温度が昇降路外部の温度を超えて急激に上昇し、さらに、熱気が昇降路内で対流するので、かご内が高温になって利用者が不快感を覚えることになる。なお、かごの戸の開閉頻度が少ないと、開扉による熱の放出が少ないので、かご内がより高温になる。
【０００６】
ここで、特許文献１に記載された技術を、昇降路が建物の外部に設置された後付けのエレベータに適用した場合であっても、昇降路内が高温になっているので、高温の空気がかご内に取り込まれるだけであり、かご内の温度を低下させることができないという問題がある。
【０００７】
この発明は、上記のような課題を解決するためになされたものであり、昇降路外部の空気をかご内に取り込むことにより、かご内の温度を低下させることができるエレベータのかご内換気装置を得ることを目的とする。
【課題を解決するための手段】
【０００８】
この発明に係るエレベータのかご内換気装置は、昇降路を昇降するかごの内部を換気するエレベータのかご内換気装置であって、それぞれ一端がかご内に連通するとともに、他端が昇降路外部に連通する２本の蛇腹式管と、２本の蛇腹式管のそれぞれにおいて、昇降路外部との境界部分に設けられた弁とを備えたものである。
【発明の効果】
【０００９】
この発明に係るエレベータのかご内換気装置によれば、それぞれ一端が昇降路を昇降するかごの内部に連通するとともに、他端が昇降路外部に連通する２本の蛇腹式管と、２本の蛇腹式管のそれぞれにおいて、昇降路外部との境界部分に設けられた弁とを備えている。
そのため、昇降路外部の空気をかご内に取り込むことにより、かご内の温度を低下させることができる。
【図面の簡単な説明】
【００１０】
【図１】この発明の実施の形態１に係るエレベータのかご内換気装置を示す構成図である。
【図２】（ａ）、（ｂ）は、この発明の実施の形態１に係るエレベータのかご内換気装置の動作を示す説明図である。
【図３】この発明の実施の形態１に係る別のエレベータのかご内換気装置を示す構成図である。
【図４】この発明の実施の形態２に係るエレベータのかご内換気装置を示す構成図である。
【発明を実施するための形態】
【００１１】
以下、この発明に係るエレベータのかご内換気装置の好適な実施の形態につき図面を用いて説明するが、各図において同一、または相当する部分については、同一符号を付して説明する。
【００１２】
実施の形態１．
図１は、この発明の実施の形態１に係るエレベータのかご内換気装置を示す構成図である。図１において、エレベータのかご内換気装置は、昇降路１を昇降するかご２の内部を換気するものである。ここで、かご２は、断熱材で覆われている。
【００１３】
かご２の天井には、それぞれ一端がかご２内に連通するとともに、他端が曲がり管を介して昇降路１外部に連通する吸気用蛇腹式管３および排気用蛇腹式管４が取り付けられている。
【００１４】
なお、図１では、曲がり管を介して、昇降路１の側面から吸気用蛇腹式管３および排気用蛇腹式管４を昇降路１外部に連通させているが、これに限定されず、吸気用蛇腹式管３および排気用蛇腹式管４をそのまま昇降路１外部に連通させてもよい。また、吸気用蛇腹式管３および排気用蛇腹式管４の材質は、樹脂製や布製等、特に限定しない。
【００１５】
吸気用蛇腹式管３において、昇降路１外部との境界部分には、かご２の下降時に開状態となるとともに、かご２の上昇時に閉状態となる吸気用弁５が設けられている。また、排気用蛇腹式管４において、昇降路１外部との境界部分には、かご２の上昇時に開状態となるとともに、かご２の下降時に閉状態となる排気用弁６が設けられている。
【００１６】
続いて、図２（ａ）、（ｂ）を参照しながら、この発明の実施の形態１に係るエレベータのかご内換気装置の動作について説明する。図２（ａ）、（ｂ）は、それぞれかご２の下降時および上昇時における吸気用蛇腹式管３および排気用蛇腹式管４、並びに吸気用弁５および排気用弁６の状態を示している。また、図２（ａ）、（ｂ）中の破線は、図１に示したかご２の上端を示している。
【００１７】
まず、図２（ａ）において、かご２の下降時には、吸気用弁５が開状態となるとともに、排気用弁６が閉状態となる。このとき、図１に示したかご２の位置を基準とすると、吸気用蛇腹式管３および排気用蛇腹式管４の、破線よりも下側の部分の体積に相当する空気が、昇降路１外部から吸気用弁５を介して取り込まれる（吸気される）。
【００１８】
続いて、図２（ｂ）において、かご２の上昇時には、排気用弁６が開状態となるとともに、吸気用弁５が閉状態となる。このとき、図１に示したかご２の位置を基準とすると、かご２の下降時に昇降路１外部から取り込まれた、吸気用蛇腹式管３および排気用蛇腹式管４の、破線よりも下側の部分の体積に相当する空気が、排気用弁６を介して昇降路１外部に排出される（排気される）。
【００１９】
このように、かご２が昇降路１を昇降することによって、昇降路１外部からかご２内への空気の取り込みと、かご２内から昇降路１外部への空気の排出とが繰り返され、かご２内が換気される。ここで、日差し等の影響を受けて高温になった昇降路１内の空気ではなく、昇降路１外部の空気を取り込むことで、換気によってかご２内の温度を低下させることができる。
【００２０】
以上のように、実施の形態１によれば、エレベータのかご内換気装置は、それぞれ一端が昇降路を昇降するかごの内部に連通するとともに、他端が昇降路外部に連通する２本の蛇腹式管と、２本の蛇腹式管のそれぞれにおいて、昇降路外部との境界部分に設けられた弁とを備えている。また、２本の蛇腹式管は、それぞれかごの天井に取り付けられた吸気用蛇腹式管および排気用蛇腹式管であり、吸気用蛇腹式管に設けられた弁は、かごの下降時に開状態となるとともに、かごの上昇時に閉状態となる吸気用弁であり、排気用蛇腹式管に設けられた弁は、かごの上昇時に開状態となるとともに、かごの下降時に閉状態となる排気用弁である。
そのため、昇降路外部の空気をかご内に取り込むことにより、かご内の温度を低下させることができる。
【００２１】
なお、上記実施の形態１では、吸気用蛇腹式管３の他端が昇降路１外部に連通すると説明したが、昇降路１外部は、図３に示すように、例えば空調機７が設置された空間８であってもよい。この場合には、かご２の下降時において、空調機７の動作により冷却された空間８中の冷気がかご２内に取り込まれる。これにより、かご２内の温度をより低下させることができる。また、吸気用蛇腹式管３の他端は、昇降路１外部に設けられた空調機に直接接続されてもよい。
【００２２】
実施の形態２．
上記実施の形態１では、２本の蛇腹式管をそれぞれ吸気用蛇腹式管３および排気用蛇腹式管４とし、２つの弁をそれぞれ吸気用弁５および排気用弁６として、役割を分けて説明した。しかしながら、例えば排気用弁６の周囲の温度が、吸気用弁５の周囲の温度よりも低い場合には、排気用弁６側から空気を取り込んだ方が、かご２内の温度をより低下させることができる。
【００２３】
そこで、この発明の実施の形態２では、弁の周囲の温度に応じて、弁の開閉を制御する構成について説明する。図４は、この発明の実施の形態２に係るエレベータのかご内換気装置を示す構成図である。図４において、エレベータのかご内換気装置は、昇降路１を昇降するかご２の内部を換気するものである。
【００２４】
かご２の天井には、それぞれ一端がかご２内に連通するとともに、他端が曲がり管を介して昇降路１外部に連通する第１蛇腹式管１１および第２蛇腹式管１２が取り付けられている。なお、実施の形態１と同様に、第１蛇腹式管１１および第２蛇腹式管１２は、そのまま昇降路１外部に連通していてもよい。
【００２５】
第１蛇腹式管１１および第２蛇腹式管１２において、昇降路１外部との境界部分には、それぞれ開閉制御部（図示せず）によって開閉制御される第１弁１３および第２弁１４が設けられている。ここで、開閉制御部は、例えばかご２を駆動制御する制御盤に設けられている。
【００２６】
第１弁１３および第２弁１４の近傍には、それぞれ周囲の温度を検出する第１温度検出部１５および第２温度検出部１６が設けられ、かご２内には、かご２内の温度を検出する第３温度検出部１７が設けられている。
【００２７】
開閉制御部は、第１〜第３温度検出部１５〜１７のうち、第１温度検出部１５で検出された温度が一番低い場合には、かご２の下降時において、第１弁１３を開状態とし、第２弁１４を閉状態とするとともに、かご２の上昇時において、第１弁１３を閉状態とし、第２弁１４を開状態とする。これにより、温度の低い空気がかご２内に取り込まれる。
【００２８】
また、開閉制御部は、第１〜第３温度検出部１５〜１７のうち、第２温度検出部１６で検出された温度が一番低い場合には、かご２の下降時において、第２弁１４を開状態とし、第１弁１３を閉状態とするとともに、かご２の上昇時において、第２弁１４を閉状態とし、第１弁１３を開状態とする。これにより、温度の低い空気がかご２内に取り込まれる。
【００２９】
また、開閉制御部は、第１〜第３温度検出部１５〜１７のうち、第３温度検出部１７で検出された温度が一番低い場合には、かご２の上昇時および下降時において、第１弁１３および第２弁１４をともに閉状態とする。これにより、かご２内の空気よりも温度の高い空気がかご２内に取り込まれることを防止する。なお、開閉制御部は、所定の閾値温度に基づいて、弁の開閉を制御してもよい。
【００３０】
以上のように、実施の形態２によれば、エレベータのかご内換気装置は、それぞれ一端が昇降路を昇降するかごの内部に連通するとともに、他端が昇降路外部に連通する２本の蛇腹式管と、２本の蛇腹式管のそれぞれにおいて、昇降路外部との境界部分に設けられた弁と、弁のそれぞれの近傍、およびかご内に設けられて周囲の温度を検出する温度検出部と、温度検出部で検出された温度に基づいて、弁の開閉を制御する開閉制御部とを備えている。
そのため、昇降路外部の温度の低い空気をかご内に取り込むことにより、かご内の温度を低下させることができる。
【００３１】
なお、上記実施の形態２では、開閉制御部が、弁の周囲の温度に応じて、弁の開閉を制御すると説明したが、これに限定されず、開閉制御部は、日差しの方向等を考慮して、時間帯に応じて、弁の開閉を制御してもよい。
【００３２】
また、上記実施の形態２では、開閉制御部が、弁の周囲の温度に応じて、弁の開閉を制御すると説明したが、これに限定されず、開閉制御部は、弁の周囲の空気の汚れに応じて、弁の開閉を制御してもよい。
【００３３】
このとき、エレベータのかご内換気装置には、図４に示した第１〜第３温度検出部１５〜１７に代えて、第１弁１３および第２弁１４の近傍に、それぞれ周囲の空気の汚れを検出する第１空気汚れ検出部および第２空気汚れ検出部が設けられる。ここで、空気の汚れとは、例えば排気ガスや有毒ガス、におい等による空気の汚染度合いである。
【００３４】
また、開閉制御部は、第１空気汚れ検出部および第２空気汚れ検出部のうち、第１空気汚れ検出部で検出された空気の汚れがひどい場合には、かご２の下降時において、第２弁１４を開状態とし、第１弁１３を閉状態とするとともに、かご２の上昇時において、第２弁１４を閉状態とし、第１弁１３を開状態とする。これにより、汚れた空気がかご２内に取り込まれることを防止する。
【００３５】
また、開閉制御部は、第１空気汚れ検出部および第２空気汚れ検出部のうち、第２空気汚れ検出部で検出された空気の汚れがひどい場合には、かご２の下降時において、第１弁１３を開状態とし、第２弁１４を閉状態とするとともに、かご２の上昇時において、第１弁１３を閉状態とし、第２弁１４を開状態とする。これにより、汚れた空気がかご２内に取り込まれることを防止する。
【００３６】
また、開閉制御部は、第１空気汚れ検出部および第２空気汚れ検出部で検出された空気の汚れがともに所定の閾値を超えている場合には、かご２の上昇時および下降時において、第１弁１３および第２弁１４をともに閉状態とする。これにより、汚れた空気がかご２内に取り込まれることを防止する。
【００３７】
さらに、開閉制御部は、弁の周囲の温度および弁の周囲の空気の汚れに応じて、弁の開閉を制御してもよい。このとき、エレベータのかご内換気装置には、図４に示した第１〜第３温度検出部１５〜１７に加えて、第１弁１３および第２弁１４の近傍に、それぞれ周囲の空気の汚れを検出する第１空気汚れ検出部および第２空気汚れ検出部が設けられる。
【００３８】
また、開閉制御部は、第１〜第３温度検出部１５〜１７で検出された温度、および第１空気汚れ検出部および第２空気汚れ検出部で検出された空気の汚れに応じて、複数の条件を設定し（例えば、温度が高くても、汚れていない側の弁から空気を取り込む等）、弁の開閉を制御する。これにより、汚れた空気がかご２内に取り込まれることを防止しつつ、かご内の温度を低下させることができる。
【００３９】
また、上記実施の形態１で示した吸気用蛇腹式管３を複数に分岐させて、分岐したそれぞれを昇降路１外部に連通させるとともに、上記実施の形態２で示した開閉制御部が、各分岐における弁の周囲の温度および弁の周囲の空気の汚れに応じて、弁の開閉を制御してもよい。これにより、汚れた空気がかご２内に取り込まれることを防止しつつ、かご内の温度を低下させることができる。
【００４０】
なお、上記実施の形態１、２では、２本の蛇腹式管をそれぞれかご２の天井に取り付けると説明したが、これに限定されず、一方の蛇腹式管をかごの床に取り付けてもよい。この場合には、それぞれの蛇腹式管の弁を開状態にしておけば、温度の高い空気が上方に移動することにより、かご２が停止している場合であっても、昇降路１外部の空気をかご２内に取り込むことができる。このとき、蛇腹式管にファンを設けて強制換気してもよい。
【００４１】
また、上記実施の形態１、２において、かご２の下降時に昇降路１外部の空気を取り込む場合、雨が降っていると、雨が蛇腹式管の内部に吹き込んでくる恐れがある。そこで、蛇腹式管にファンを設け、弁が開状態にある場合にファンを動作させることにより、雨の吹き込みを防止することができる。
【符号の説明】
【００４２】
１  昇降路、２  かご、３  吸気用蛇腹式管、４  排気用蛇腹式管、５  吸気用弁、６  排気用弁、７  空調機、８  空間、１１  第１蛇腹式管、１２  第２蛇腹式管、１３  第１弁、１４  第２弁、１５  第１温度検出部、１６  第２温度検出部、１７  第３温度検出部。
【図１】
2013237545.tif 000003
【図２】
2013237545.tif 000004
【図３】
2013237545.tif 000005
【図４】
2013237545.tif 000006